(57)【要約】【課題】  リーダ部材がケース内に引き込まれるときの着力と、ケース内から引き出されるときの脱力とに差がなく、部品精度が要求されずにコストアップにならないようにしたテープカートリッジを提供する。【解決手段】  このテープカートリッジは、テープ状記録媒体がその周囲に巻回されるリールハブ部をケース内に回転可能に収容し、テープ状記録媒体の先端を固定し全体として円筒状に構成されるとともにケースの側面に設けられた開口７３を通してケース内に引き込まれかつケース内から引き出されるリーダ部材８と、リーダ部材をその各端部８１ｄに当接し押圧することでケース内の格納部７０に保持するための一対の線状ばね７４と、を備え、リーダ部材がケース内に引き込まれるときまたはケース内から引き出されるとき、線状ばねはリーダ部材の円筒長手方向外側に弾性変形するように配置される。【選択図】  図８
2005078758.tif 000002
【特許請求の範囲】
【請求項１】
テープ状記録媒体がその周囲に巻回されるリールハブ部をケース内に回転可能に収容するテープカートリッジであって、
前記テープ状記録媒体の先端を固定し全体として円筒状に構成されるとともに前記ケースの側面に設けられた開口を通して前記ケース内に引き込まれかつ前記ケース内から引き出されるリーダ部材と、
前記リーダ部材を前記ケース内の格納部に保持するための一対の線状のばね部材と、を備え、
前記リーダ部材が前記ケース内に引き込まれるときまたは前記ケース内から引き出されるとき、前記線状のばね部材は前記リーダ部材の円筒長手方向外側に弾性変形するように配置されたことを特徴とするテープカートリッジ。
【請求項２】
テープ状記録媒体がその周囲に巻回されるリールハブ部をケース内に回転可能に収容するテープカートリッジであって、
前記テープ状記録媒体の先端を固定し全体として円筒状に構成されるとともに前記ケースの側面に設けられた開口を通して前記ケース内に引き込まれかつ前記ケース内から引き出されるリーダ部材と、
前記リーダ部材を前記ケース内の格納部に保持するための一対の線状のばね部材と、を備え、
前記リーダ部材が前記ケース内に引き込まれるときまたは前記ケース内から引き出されるとき、前記リーダ部材の各端部が前記線状のばね部材を横切るように前記線状のばね部材が前記格納部の近傍に配置されたことを特徴とするテープカートリッジ。
【請求項３】
前記各線状のばね部材をその一端側で前記ケース側に固定したことを特徴とする請求項１または２に記載のテープカートリッジ。
【請求項４】
前記線状のばね部材が入り込む線状の凹部を前記格納部の前記開口側の近傍に設け、前記線状のばね部材の一部分が前記凹部内に入り込み、前記凹部から露出した前記線状のばね部材の他部分が前記格納部内で前記各端部に対し押圧または近接することにより前記リーダ部材が保持されることを特徴とする請求項１，２または３に記載のテープカートリッジ。
【請求項５】
前記格納部の前記線状の凹部と対向する側に前記リーダ部材の各端部が当接する当接壁を前記ケース側に設け、
前記リーダ部材は前記各端部が前記格納部で前記線状の凹部に入り込んだ前記線状のばね部材と前記当接壁との間で保持されることを特徴とする請求項４に記載のテープカートリッジ。
【発明の詳細な説明】
【技術分野】
【０００１】
本発明は、外部に引き出されかつ内部に引き込まれるテープ状記録媒体の先端に取り付けられたリーダ部材を備えるテープカートリッジに関する。
【背景技術】
【０００２】
１リールタイプのテープカートリッジは単一のリールハブ部を内部に有し、そのハブ周囲にテープ状記録媒体が巻回されており、コンピュータ用のバックアップデータ保存等のために使用されている。かかるテープカートリッジがコンピュータ用の磁気記録再生装置に装着されると、リールハブ部のハブ周囲に巻回されたテープ状記録媒体が引き出されて磁気記録再生装置側のリールハブ部に巻回されて両者間でテープ状記録媒体が走行することで、記録・再生が行われるようになっている。
【０００３】
上述のようなテープカートリッジにおいてテープ状記録媒体の先端部分には、全体として円筒状に構成されたリーダ部材が取り付けられており、リーダ部材はテープ状記録媒体の先端をその周囲で保持し固定している。リーダ部材は、ケースの側面の開口を通してテープカートリッジの使用時にテープ状記録媒体を引っ張るようにしてテープカートリッジのケースから引き出され、また、逆に使用終了時にはリールハブ部側から引っ張られるようにして引き込まれてリーダ部材の円筒状の端部がケース内の所定位置の格納部に収まる。このようなリーダ部材がケース内で所定位置に収まる従来の構成を図１１に示す。図１１は従来のテープカートリッジのケースの内面を示す要部平面図である。
【０００４】
図１１のように、従来のテープカートリッジは、テープ状記録媒体である磁気テープＴを巻装した単一のリールを回転可能にカートリッジケースＣに収容し、磁気テープＴの先端に固着したリーダピン９９の両端部を着脱可能にケースＣに固定保持するロック部材９０は、板状の取付部９０ａと、取付部９０ａから屈曲して先端係止部９０ｃがリーダピン９９に当接可能な弾性腕部９０ｂと、を備え、その取付部９０ａと弾性腕部９０ｂとがなす内角を鈍角とすることで、リーダピン９９を着脱可能に保持するロック部材９０の加工精度、取付性等を改善し、良好なリーダピンの保持機能が得られるようにしている。
【特許文献１】特開２０００−２６０１５６公報
【発明の開示】
【発明が解決しようとする課題】
【０００５】
しかし、図１１のような従来のテープカートリッジによれば、リーダピン９９がケースＣの開口９１からケースＣの内部に引き込まれてロック部材９０の先端係止部９０ｃにより保持されるときに、先端係止部９０ｃがリーダピン９９を保持状態に押し込むとき（着時）に必要な着力と、ケースＣの内部から引き出されて先端係止部９０ｃによる保持状態から脱するとき（脱時）に必要な脱力とに差が生じ易い。これは、着時には進入方向のリーダピン９９の押す方向に対して取付部９０ａの抗力に加えて先端係止部９０ｃを押しつぶすような力が働き、着力が脱力よりも大きくなり易いためである。このため、着力と脱力とを規格で定められた範囲内に収めるために、ロック部材９０の先端係止部９０ｃや先端係止部９０ｃから取付部９０ａにおけるロック部材９０の折り曲げ角度を調整して着力と脱力の差を少なくすることもできるが、設計や加工が難しく、ロック部材９０の部品精度が厳しくなり、部品の歩留まりが低下し、コストアップにつながってしまう。
【０００６】
更に、ロック部材９０は、平板のバネ部材を用い、リーダピン９９に対し面で接触するように設計されているので、ロック部材９０の取り付けが悪くリーダピン９９に対し斜めになった場合、ロック部材９０の角がリーダピン９９に点接触状態となり両者間の摩擦抵抗が変化することに起因して着力と脱力に差が生じることもある。
【０００７】
本発明は、上述のような従来技術の問題に鑑み、リーダ部材がケース内に引き込まれるときの着力と、ケース内から引き出されるときの脱力とに差がなく、部品精度が要求されずにコストアップにならないようにしたテープカートリッジを提供することを目的とする。
【課題を解決するための手段】
【０００８】
本発明によるテープカートリッジは、テープ状記録媒体がその周囲に巻回されるリールハブ部をケース内に回転可能に収容するテープカートリッジであって、前記テープ状記録媒体の先端を固定し全体として円筒状に構成されるとともに前記ケースの側面に設けられた開口を通して前記ケース内に引き込まれかつ前記ケース内から引き出されるリーダ部材と、前記リーダ部材を前記ケース内の格納部に保持するための一対の線状のばね部材と、を備え、前記リーダ部材が前記ケース内に引き込まれるときまたは前記ケース内から引き出されるとき、前記線状のばね部材は前記リーダ部材の円筒長手方向外側に弾性変形するように配置されたことを特徴とする。
【０００９】
このテープカートリッジによれば、リーダ部材がケース内に引き込まれるとき、リーダ部材の各端部が各線状のばね部材に当接することで各線状のばね部材がリーダ部材の円筒長手方向外側に弾性変形し、この弾性変形でリーダ部材の各端部がケース内の格納部に入り込むことができ、各端部が格納部に入り込むと、各線状のばね部材が弾性復元するのでリーダ部材を格納部に保持できる。また、格納部に保持されたリーダ部材がケース内から引き出されるとき、リーダ部材の各端部が各線状のばね部材に当接することで各線状のばね部材がリーダ部材の円筒長手方向外側に弾性変形し、この弾性変形でリーダ部材の各端部が格納部から抜け出ることができる。このように、リーダ部材のケース内への引き込み及びケース内からの引き出しがともに各線状のばね部材の同じ方向への弾性変形により可能となるので、リーダ部材がケース内に引き込まれるときの着力と、リーダ部材がケース内から引き出されるときの脱力とがほぼ同一になる。上述のように、着力と脱力とに差がなくかつリーダ部材をケース内の格納部に保持するために一対の線状のばね部材といった複雑な加工を必要としない部品から構成でき、設計上の負担が軽減でき、部品構造が簡単で部品加工精度が要求されないので、製造負荷を低減でき、歩留まりが向上し、コストも低減できる。
【００１０】
本発明による別のテープカートリッジは、テープ状記録媒体がその周囲に巻回されるリールハブ部をケース内に回転可能に収容するテープカートリッジであって、前記テープ状記録媒体の先端を固定し全体として円筒状に構成されるとともに前記ケースの側面に設けられた開口を通して前記ケース内に引き込まれかつ前記ケース内から引き出されるリーダ部材と、前記リーダ部材を保持するための一対の線状のばね部材と、を備え、前記リーダ部材が前記ケース内に引き込まれるときまたは前記ケース内から引き出されるとき、前記リーダ部材の各端部が前記線状のばね部材を横切るように前記線状のばね部材が前記格納部の近傍に配置されたことを特徴とする。
【００１１】
このテープカートリッジによれば、リーダ部材がケース内に引き込まれるとき、リーダ部材の各端部が各線状のばね部材に当接し各線状のばね部材を横切るようにしてケース内の格納部に入り込み、格納部で各線状のばね部材がリーダ部材を保持できる。また、格納部に保持されたリーダ部材がケース内から引き出されるとき、リーダ部材の各端部が各線状のばね部材を横切るようにして格納部から抜け出ることができる。このように、リーダ部材のケース内への引き込み及びケース内からの引き出しがともに各端部が各線状のばね部材を横切るようにして可能となるので、ばね部材がほぼ同じ形状に弾性変形する。このため、リーダ部材がケース内に引き込まれるときの着力と、リーダ部材がケース内から引き出されるときの脱力とがほぼ同一になる。上述のように、着力と脱力とに差がなくかつリーダ部材をケース内の格納部に保持するために一対の線状のばね部材といった複雑な加工を必要としない部品から構成でき、設計上の負担が軽減でき、部品構造が簡単で部品加工精度が要求されないので、製造負荷を低減でき、歩留まりが向上し、コストも低減できる。
【００１２】
なお、上記ケースが一対の上ケースと下ケースから構成されるとき、上記線状のばね部材が上ケースと下ケースにそれぞれ配置され、上記テープカートリッジには一対の線状のばね部材が設けられる。
【００１３】
上記テープカートリッジにおいて前記各線状のばね部材をその一端側で前記ケース側に固定することが好ましい。これにより、線状のばね部材は固定された一端側と反対側の他端側が位置規制されないために弾性変形が起き易くかつ線状のばね部材の抜け止めを図ることができる。
【００１４】
また、前記線状のばね部材が入り込む線状の凹部を前記格納部の前記開口側の近傍に設け、前記線状のばね部材の一部分が前記凹部内に入り込み、前記凹部から露出した前記線状のばね部材の他部分が前記格納部内で前記各端部に対し押圧または近接することにより前記リーダ部材が保持されるように構成できる。なお、凹部は、ばね部材が弾性変形したときに、その変形部分が入り込むことができるように部分的に更に凹んでいることが好ましい。また、線状のばね部材は、線状の凹部に対し線状のばね部材の軸半径方向から入り込むようにすることで線状の凹部に取り付けることができる。
【００１５】
この場合、前記格納部の前記線状の凹部と対向する側に前記リーダ部材の各端部が当接する当接壁を前記ケース側に設け、前記リーダ部材は前記各端部が前記格納部で前記線状の凹部に入り込んだ前記線状のばね部材と前記当接壁との間で保持されるように構成できる。
【発明の効果】
【００１６】
本発明のテープカートリッジによれば、線状のばね部材といった簡単な部品により、リーダ部材がケース内に引き込まれるときの着力と、ケース内から引き出されるときの脱力とに差がないように構成でき、しかも部品精度が要求されないので、コストアップにならない。
【発明を実施するための最良の形態】
【００１７】
以下、本発明を実施するための最良の形態について図面を用いて説明する。図１は本実施の形態によるテープカートリッジの分解斜視図、図２は図１のテープカートリッジでリールハブ部がロックされている状態を示す縦断面図、図３は同じくリールハブ部がロック解除されている状態を示す縦断面図である。
【００１８】
図１に示すテープカートリッジ１００は、上ケース１と下ケース２とからなる１リールタイプのテープカートリッジに構成され、テープ状記録媒体である磁気記録テープ（以下、単に「テープ」という場合もある。）を巻回するリールハブ部３を内部に有し、記録再生装置に装着されたときに、リールハブ部３が回転可能になるように構成されている。上ケース１と下ケース２は、組み合わされて矩形または略正方形の平面状のケースを構成し、それぞれ樹脂材料から成形により製造できる。
【００１９】
リールハブ部３は、上フランジ３１と、下フランジ３３と、下フランジ３３と一体に形成されその周面に磁気記録テープを巻回するハブ３２とを備える。また、図１〜図３のように、ハブ３２の下面３２ａ側には軟磁性体よりなる円形状の金属板３４が一体に設けられている。金属板３４の周囲には記録再生装置側の駆動部材８５（図３）の歯部と係合する係合歯３４ａが円周方向に三分割して設けられており、各係合歯３４ａの間には複数の孔３４ｂが下面３２ａの反対面に貫通して形成されている。金属板３４、係合歯３４ａ及び複数の孔３４ｂは下ケース２の貫通孔２１を通して外部に露出する。
【００２０】
また、ハブ３２の内側であって下面３２ａの反対面にはブレーキロック部材５の歯部５１と噛み合い係合するように多数の歯が円形状に並んだ歯部３５が円周方向に複数に分割して設けられている。歯部３５はポリカーボネート（ＰＣ）等の樹脂材料から成形で製造できるが、この場合、ガラス繊維を混入することで強度を高めるようにしてもよい。
【００２１】
図１〜図３のように、ブレーキロック部材５は、ハブ３２の内側に配置され、ハブ３２の歯部３５と噛み合い係合するように多数の歯が円形状に並んだ歯部５１と、歯部５１よりも小径の円筒端面に形成された十字状の係合穴５ａと、十字状の穴５ａの周囲の端部５ｂと、歯部５１の裏面側にブレーキロックスプリング４の端部４ｂが収まるように形成されたリング状溝５ｃとを備える。ブレーキロック部材５はＰＯＭ（ポリオキシメチレン）等の樹脂材料から成形で製造できる。
【００２２】
ブレーキロック部材５は、図１，図２のように、その十字状の穴５ａに上ケース１の内面１ａに直立して設けられた複数の係合突起部１ｃが入り込んで図の上下方向に移動可能に係合して上ケース１に取り付けられる。ブレーキロックスプリング４は、その先端４ａが上ケース１の内面１ａのリング状溝１ｂにはまり込むようになっており、上ケース１のリング状溝１ｂとブレーキロック部材５のリング状溝５ｃとの間に位置し、ブレーキロック部材５を図２の方向Ｂに常時付勢して、歯部５１とハブ３２の歯部３５とが噛み合い係合することでリールハブ部３の回転を妨げてブレーキ状態にする。
【００２３】
ブレーキ解除部材６は、ハブ３２とブレーキロック部材５との間に配置され、主板６ａと、主板６ａの周囲の複数箇所から図の下方に突き出た複数の脚部６ｂとを備える。複数の脚部６ｂは、ハブ３２の下面の複数の孔３４ｂに挿入され、テープカートリッジが記録再生装置に装着されると、ブレーキ解除部材６の脚部６ｂが図の下から押されて上方に持ち上げられる。これにより、図３のようにブレーキロック部材５がブレーキ解除部材６の当て板６１を介して中心の凸状の軸受部５２でブレーキロックスプリング４の付勢力に抗して上方へ持ち上げられて端部５ｂが内面１ａに接近するように非ロック位置に移動するようになっている。
【００２４】
また、リールハブ部３に巻回された磁気記録テープの先端８３（図５の破線で示す）がリーダ部材８に固定される。リーダ部材８では、磁気記録テープの先端８３がピン部材８１に巻きつけられ、その上からクランプ部材８２が嵌め込まれることで固定される。テープカートリッジが記録再生装置に装着されると、リーダ部材８が装置側の保持部材に係合し保持されてテープ引き出し開口７３（図１）を通して装置側に引き出されるようになっている。
【００２５】
また、テープ引き出し開口７３はドア部材７によって開閉され、ドア部材７は、ばね部材１０により常時テープ引き出し開口７３を閉鎖する方向へ付勢されており、記録再生装置に装着されると、装置側の開放部材（図示省略）によりばね部材１０の付勢力に抗して開放されるようになっている。
【００２６】
図１〜図３に示すテープカートリッジは、保管時等の非使用時にはブレーキロック部材５がブレーキロックスプリング４により付勢されて図２のようにロック位置まで移動し、ブレーキロック部材５の歯部５１の各歯５４とリールハブ部３のハブ３２の歯部３５の各歯とが噛み合い係合することで、リールハブ部３がブレーキ状態となって回転できず、不要な回転が防止され磁気記録テープの緩みを防止できる。
【００２７】
図５によりリーダ部材について説明する。図５は図１のリーダ部材の斜視図である。図５のように、リーダ部材８は、全体として細長い円筒形状に形成されたピン部材８１と、ピン部材８１に嵌め込まれるクランプ部材８２と、から構成され、全体として円筒状に構成されている。
【００２８】
ピン部材８１は、磁気記録テープが位置し巻き付けられる心棒部８１ａと、心棒部８１ａの両端に位置し厚さが比較的薄く構成された鍔部８１ｂ、８１ｃと、両端部に設けられた比較的厚さが薄く短い円板部８１ｄ、８１ｅと、鍔部８１ｂ、８１ｃと円板部８１ｄ、８１ｅとの間にそれぞれ形成された凹部状の係合部８５ａ、８５ｂと、を備える。ピン部材８１はステンレス鋼等の金属材料から構成される。円板部８１ｄ、８１ｅがリーダ部材８の各端部である。
【００２９】
クランプ部材８２は、図５のように、細長い円筒形状体から構成され、その長手方向に延びて形成された開口８２ａを有し、横断面がＣ字形状になっている。クランプ部材８２は、ＰＣ（ポリカーボネート）、ＰＯＭ（ポリオキシメチレン）、ＰＡ（ポリアミド）等の樹脂材料から射出成形により製造することができる。
【００３０】
リーダ部材８は、クランプ部材８２が開口８２ａからピン部材８１の鍔部８１ｂと８１ｃとの間で磁気記録テープＴ（図４）の先端部８３（図５の破線で示す）を間に挟んで心棒部８１ａに嵌め込まれることで、磁気記録テープの先端部８３を心棒部８１ａの外周面とクランプ部材８２の内周面との間に挟んでクランプし固定するようになっている。
【００３１】
次に、テープカートリッジが記録再生装置に装着された場合を図４を更に参照して説明する。図４は記録再生装置において図１〜図３のテープカートリッジから引き出されたテープの走行経路を概念的に示す正面図である。
【００３２】
図３に示すように、装置２００側の駆動部材８５は、ハブ３２の係合歯３４ａに係合する歯部８８がその外周に形成され、歯部８８の内周側にリング状のマグネット８７が埋め込まれている。
【００３３】
図４のように、テープカートリッジ１００が記録再生装置２００に装着されると、図３のように、装置２００側の駆動部材８５とテープカートリッジ１００とが相対的に接近し、駆動部材８５が下ケース２の貫通孔２１をとおり、駆動部材８５のマグネット８７がハブ３２の下面３２ａ側の軟磁性体よりなる金属板３４に接近し金属板３４を磁気的に吸引し、駆動部材８５の歯部８８がハブ３２の係合歯３４ａに係合する。そして、駆動部材８５の歯部８８の突起によりブレーキ解除部材６が脚部６ｂで図２の方向Ｂ’（方向Ｂと反対方向）に移動することで、ブレーキロック部材５がブレーキロックスプリング４の付勢力に抗して一定のストロークだけ移動し、図３のように非ロック位置に至り、歯部５１と歯部３５との間に隙間ができて両者の噛み合いが解除される。この結果、駆動部材８５の駆動軸８６の回転によりリールハブ部３が回転できるようになる。
【００３４】
次に、ドア部材７が記録再生装置２００側の開放部材（図示省略）により開放され、リーダ部材８が図５の係合部８５ａ、８５ｂで装置２００側の保持部材（図示省略）に係合し保持された状態で磁気記録テープを引っ張りながらテープ引き出し開口７３を通して装置２００側に引き出され、磁気記録テープＴがリールハブ部２０４のハブ周囲に巻回される。
【００３５】
そして、テープカートリッジ１００のリールハブ部３と記録再生装置２００のリールハブ部２０４とが回転駆動されることで、図４のように、磁気記録テープＴが図の水平方向Ｘまたはその反対の水平方向Ｘ’に記録再生ヘッド２０２の両側でガイド２０１，２０３にガイドされて走行しながら記録再生ヘッド２０２により磁気記録テープＴに対し記録または再生が行われる。
【００３６】
次に、図１，図５のリーダ部材をテープカートリッジ内部の格納部で保持する構成について図６乃至図１０を参照して説明する。なお、かかる構成は上ケース１と下ケース２で同様であるので、主に下ケース２について説明する。
【００３７】
図６は図１〜図３の下ケースの内面にリーダ部材が保持される格納部及び線状ばねが入り込む凹部を示す要部斜視図である。図７は図１，図６の上ケースの内面の格納部と下ケースの内面の格納部との間にリーダ部材が保持された状態を示す側断面図である。図８は図７のリーダ部材をVIII-VIII線方向に切断して見た図である。図９は図７のリーダ部材が下ケースの内面の格納部で保持されている状態を拡大して示す側面図である。図１０は図８のリーダ部材が下ケースの内面の格納部で保持されている状態を図８のX-X線方向に切断して見た図である。
【００３８】
図６、図８に示すように、下ケース２の内面２ａには、図５のリーダ部材８の円板部８１ｄの形状に適合するように略半円状の格納部７０が形成されている。格納部７０は、内面２ａ上の平面状の厚肉部７１ａから落ち込むようにして略半円状に形成され、下ケース２の内面２ａから厚肉部７１ａに直立した直立壁（当接壁）７１から画定されている。内面２ａには略半円状の格納部７０から開口７３に向けて扇状に広がるようにリーダ部材８の通路７３ａが形成されている。
【００３９】
また、下ケース２の内面２ａには格納部７０の開口７３側に直線溝状の凹部７５が形成されている。直線溝状の凹部７５は、略半円状の格納部７０と通路７３ａとを分断するように格納部７０の開口部分よりも長く厚肉部７１ａから凹んで、図８，図１０のように線状ばね７４がその線状ばね部材の軸半径方向から入り込こんで取り付けられるように形成されている。
【００４０】
図６，図８のように、直線溝状の凹部７５の一端側は略円形状に凹んでおり、その中心に円筒状の固定部７６が設けられており、固定部７６に線状ばね７４の一端部７４ａが巻き付けられカシメ等により固定され、線状ばね７４の抜け止めを図ることができる。
【００４１】
線状ばね７４が凹部７５に入り込んだとき、図９，図１０のように、その上部が凹部７５から露出し、リーダ部材８の端部である円板部８１ｅに当接し円板部８１ｅを押圧するようになっている。
【００４２】
図８〜図１０のように、直線溝状の凹部７５の幅は線状ばね７４の線径よりも広く形成されている。また、直線溝状の凹部７５の格納部７０近傍の底部７５ａは凹部７５の両端側の底部７５ｂよりも深く形成されており、線状ばね７４は凹部７５内で底部７５ａを跨ぐように位置し、その両端で浅い底部７５ｂ上に載った状態となる。
【００４３】
図６〜図１０のように、リーダ部材８の円板部８１ｅが、格納部７０に入り込むとき、または格納部７０から引き出されるとき、線状ばね７４に当接し線状ばね７４を押し付けることで、線状ばね７４は凹部７５内で他端部７４ｂが位置規制されないために長手方向に動くことができるとともに凹部７５の両端側の底部７５ｂに支持されながらより深い底部７５ａ側に凹みながら弾性変形することができる。
【００４４】
線状ばね７４は、ばね鋼等からなる線ばねから直線状に構成され、その線径は例えば、０．３〜０．７ｍｍ程度の範囲内が好ましい。線状ばね７４の線径が０．３ｍｍ未満では、充分な脱力・着力が得られず、０．７ｍｍを越えると、剛性が強すぎ、脱力・着力の制御（大きさの設定）が難しい。なお、脱力・着力は、リーダ部材８の端部と線状ばね７４とが当接する垂直方向（リーダ部材８の長手方向）の位置を変えることにより制御可能である。
【００４５】
なお、線状ばね７４の断面形状は、円形、楕円形、または多角形状であってよいが、円形または楕円形がリーダ部材８と線状ばね７４との接触時に傷が付き難く、好ましい。
【００４６】
図７、図８に示すように、リーダ部材８がテープカートリッジ１００の内部に引き込まれると、リーダ部材８の各端部の円板部８１ｄ、８１ｅが上下ケース１，２の各直立壁７１に当接し格納部７０に収まり格納されるが、このとき、リーダ部材８は円板部８１ｄ、８１ｅが線状ばね７４で押し付けられ保持されて格納部７０に格納され所定位置に位置決めされる。
【００４７】
次に、図１〜図１０によりリーダ部材８のテープカートリッジ内部への引き込み及びテープカートリッジ内部からの引き出しの各動作について説明する。
【００４８】
図４のように、記録再生装置２００に装着されたテープカートリッジ１００のリーダ部材８が装置側に引き出され、装置側のリールハブ部２０４とテープカートリッジ１００のリールハブ部３とが回転しながら磁気記録テープＴに記録・再生が行われるが、この記録・再生の終了後、リールハブ部３側に磁気記録テープＴが巻き取られながらリーダ部材８が引っ張られてテープカートリッジ１００内に開口７３を通して引き込まれる。
【００４９】
そして、リーダ部材８が開口７３から通路７３ａを通過しながら引き込まれると、リーダ部材８の円板部８１ｄ、８１ｅが格納部７０の手前で直線溝状の凹部７５に入り込んだ線状ばね７４に当接する。線状ばね７４は円板部８１ｄ、８１ｅにより押し付けられて凹部７５の底部７５ａ側（円板部８１ｄ、８１ｅよりも円筒長手方向外側）に弾性変形し凹むことで、リーダ部材８は円板部８１ｄ、８１ｅが格納部７０に向けて線状ばね７４を横切り、更に引き込まれ直立壁７１に当接して格納部７０に収まるとともに、線状ばね７４が弾性復元しリーダ部材８の円板部８１ｄ、８１ｅを押し付けることでリーダ部材８が直立壁７１と線状ばね７４との間で保持される。
【００５０】
また、図４のように、テープカートリッジ１００が記録再生装置２００に装着されると、上述のようにテープカートリッジ１００内で格納部７０に保持された状態のリーダ部材８が装置側に引き出される。この引き出しのとき、図７〜図９のように、リーダ部材８は、円板部８１ｄ、８１ｅが線状ばね７４を押し付け、引き込みのときと同様に線状ばね７４が凹部７５の底部７５ａ側に弾性変形し凹むことで、円板部８１ｄ、８１ｅが通路７３ａに向けて線状ばね７４を横切り、更に引き出され通路７３ａを通り、開口７３から磁気記録テープとともに引き出される。
【００５１】
以上のように、本実施の形態のテープカートリッジ１００によれば、リーダ部材８のケース１，２内への引き込み及びケース１，２内からの引き出しがともにリーダ部材８の円板部８１ｅ，８１ｄが直線溝状の凹部７５内の線状ばね７４を横切るとともに凹部７５の底部７５ａへと同じ方向（リーダ部材８の円筒長手方向外側）へ弾性変形することで可能となるので、リーダ部材８がケース１，２内に引き込まれるときの着力と、リーダ部材８がケース１，２内から引き出されるときの脱力とがほぼ同一になる。また、線状ばね７４が弾性変形するときの変形方向は、リーダ部材８の円筒長手方向外側と同時に凹部７５内でリーダ部材８の移動方向への若干の変形を伴うが、着時と脱時で、その移動方向の変形は線状ばね７４の長手方向に関しほぼ左右対称となり、脱力と着力とに差が生じない。
【００５２】
従って、上述のように着力と脱力とに差がなくかつリーダ部材８をケース１，２内の格納部７０に押圧し保持するために一対の線状ばね７４といった複雑な加工を必要としない部品から構成でき、設計上の負担が軽減でき、部品構造が簡単で部品加工精度が要求されないので、製造負荷を低減でき、歩留まりが向上し、コストも低減できる。
【００５３】
以上のように本発明を実施の形態及び実施例により説明したが、本発明はこれらに限定されるものではなく、本発明の技術的思想の範囲内で各種の変形が可能である。例えば、本発明の線状の凹部は、本実施の形態では、図８のように、平面的に直線溝状の凹部７５として形成され、凹部７５は、開口７３の形成された下ケース２の側壁２ｂに対し略平行に形成しているが、側壁２ｂに対し傾斜するように形成してもよく、また、リーダ部材８が線状ばね７４と当接する当接部分（例えば、底部７５ａの長手方向部分）が直線状であればよく、その両端部側は、曲線になったり、折れ曲がっていてもよい。
【００５４】
また、直線溝状の凹部７５は、線状ばね７４の一端側で線状ばね７４が嵌り込んで固定されるように幅狭にし、他端側で上述のように幅広としてもよく、この場合は、線状ばね７４を固定部７６に巻き付ける必要がないので、線状ばね７４は切断するだけの加工でよく、またケース側の固定部７６を省略できる。
【００５５】
また、線状のばね部材は、リーダ部材８との当接部分（例えば、底部７５ａに対応する部分）が直線状であればよく、その両端側の部分は、曲線状になったり、傾斜したり、折れ曲がっていてもよい。
【００５６】
また、リーダ部材８が格納部７０に格納されたとき円板部８１ｄ、８１ｅが線状ばね７４により直立壁７１に押し付けられ保持されるが、リーダ部材８は、円板部８１ｄ、８１ｅが線状ばね７４と直立壁７１に近接し、移動を規制する（リーダ部材８の円板部８１ｄ、８１ｅと直立壁７１及び／又は線状ばね７４との間に隙間があり、その隙間内でリーダ部材８が動くことができる）ように配置されてもよい。
【図面の簡単な説明】
【００５７】
【図１】本実施の形態によるテープカートリッジの分解斜視図である。
【図２】リールハブ部がロック位置でロックされている状態の図１のテープカートリッジの縦断面図である。
【図３】リールハブ部が非ロック位置でロック解除されている状態の図１のテープカートリッジの縦断面図である。
【図４】図１〜図３のテープカートリッジから記録再生装置に引き出されたテープの走行経路を概念的に示す正面図である。
【図５】図１のリーダ部材の斜視図である。
【図６】図１〜図３の下ケースの内面にリーダ部材が保持される格納部及び線状ばねが入り込む凹部を示す要部斜視図である。
【図７】図１，図６の上ケースの内面の格納部と下ケースの内面の格納部との間にリーダ部材が保持された状態を示す側断面図である。
【図８】図８は図７のリーダ部材をVIII-VIII線方向に切断して見た図である。
【図９】図７のリーダ部材が下ケースの内面の格納部で保持されている状態を拡大して示す側面図である。
【図１０】図８のリーダ部材が下ケースの内面の格納部で保持されている状態を図８のX-X線方向に切断して見た図である。
【図１１】従来のテープカートリッジのケースの内面を示す要部平面図である。
【符号の説明】
【００５８】
１００・・・テープカートリッジ
１・・・上ケース
２・・・下ケース
２ａ・・・下ケースの内面
３・・・リールハブ部
８・・・リーダ部材
８１ｄ，８１ｅ・・・円板部（リーダ部材の端部）
７０・・・格納部
７１・・・直立壁
７３・・・テープ引き出し開口
７３ａ・・・格納部とテープ引き出し開口との間の通路
７４・・・線状ばね（線状のばね部材）
７４ａ・・・一端部
７４ｂ・・・他端部
７５・・・直線溝状の凹部（線状の凹部）
７５ａ・・・凹部７５の深い底部
７５ｂ・・・凹部７５の浅い底部
Ｔ・・・磁気記録テープ（テープ状記録媒体）
【図１】
2005078758.tif 000003
【図２】
2005078758.tif 000004
【図３】
2005078758.tif 000005
【図４】
2005078758.tif 000006
【図５】
2005078758.tif 000007
【図６】
2005078758.tif 000008
【図７】
2005078758.tif 000009
【図８】
2005078758.tif 000010
【図９】
2005078758.tif 000011
【図１０】
2005078758.tif 000012
【図１１】
2005078758.tif 000013